(57)【特許請求の範囲】
【請求項１】
使用開始時刻を登録する入時登録手段と、使用終了時刻を登録する出時登録手段とを設け、前記使用開始時刻から使用終了時刻までの経過時間を算出し、この経過時間と予め設定された基本単位時間当たりの基本料金及び延長単位時間当たりの延長料金とに基づいて使用料金を算出して売上登録処理する電子式キャッシュレジスタにおいて、
使用料金が無料となる無料時間を登録する無料登録手段と、この無料登録手段により無料時間が登録されると前記使用開始時刻または使用終了時刻を該無料時間だけずらしてから前記使用料金の計算を行う演算制御手段とを具備したことを特徴とする電子式キャッシュレジスタ。
【請求項２】
演算制御手段は、使用開始時刻を該無料時間分遅らせてから前記使用料金の計算を行う手段であることを特徴とする請求項１記載の電子式キャッシュレジスタ。
【請求項３】
演算制御手段は、使用終了時刻を該無料時間分早めてから前記使用料金の計算を行う手段であることを特徴とする請求項１記載の電子式キャッシュレジスタ。
【発明の詳細な説明】
【０００１】
【発明の属する技術分野】
本発明は、使用した時間によって料金が決まる有料施設、例えばカラオケボックス店，スポーツクラブ，駐車場等の会計装置として用いられる電子式キャッシュレジスタに関する。
【０００２】
【従来の技術】
従来のこの種の電子式キャッシュレジスタとしては、使用開始時刻を登録する入時登録手段と、使用終了時刻を登録する出時登録手段とを備えている。また、基本単位時間当たり料金いわゆる基本料金と、延長単位時間当たりの料金いわゆる延長料金とを予め設定記憶している。しかして、入時登録手段により各客の使用開始時刻が登録されると、その使用開始時刻を客別に記憶管理する。一方、出時登録手段によりある客の使用終了時刻が登録されると、その客の使用開始時刻から使用終了時刻までの経過時間を算出する。そして、この経過時間が基本単位時間を超えていない場合には、基本料金を当該客の使用料金として売上登録処理する。また、経過時間が基本単位時間を超えている場合には、その超えた分の時間と基本延長時間とから延長回数を求め、基本料金に延長回数分の延長料金を加算した額を当該客の使用料金として売上登録処理するようにしたものが知られている。
【０００３】
ところで、カラオケボックスなどの有料施設においては、客へのサービスとして無料券を配布し、この無料券を持参した客に対しては一定時間の使用料金を無料にすることがよく行われている。
そこで、このような無料券を取り扱うことができる電子式キャッシュレジスタとして、従来は、使用料金が無料となる無料時間を登録する無料登録手段を有し、出時登録の際に合せて無料時間が登録されると、使用時間に対する使用料金の算出方法と同様な方法で無料時間に対する金額を計算し、使用時間に対する使用料金から無料時間に対する金額を減じた額を無料券処理後の使用料金として売上登録処理するものがあった。
【０００４】
例えば、基本料金を６０分当たり２０００円とし、延長料金を３０分当たり５００円とした場合、使用時間が１時間３０分（＝９０分）の客に対しては、延長時間が３０分であり、延長回数が１回なので、使用料金＝２５００円が算出される。このとき、この客が６０分の無料券を提示したとすると、使用時間６０分に対する使用料金は２０００円なので、無料時間６０分に対する金額として２０００円が算出される。したがって、この客に対する請求額は２５００円から２０００円を引いた５００円となる。
【０００５】
なお、仮に無料時間が６０分未満であったしても、それは基本単位時間以内なので、無料時間に対する金額は無料時間が６０分の場合と同様に２０００円となる。このため、無料時間は長いほどサービス効果があるので、従来は基本単位時間未満の無料時間を設定するようなことは行われていなかった。
【０００６】
【発明が解決しようとする課題】
このように、従来のこの種の電子式キャッシュレジスタにおいても、無料時間を登録するとその無料時間に相当する金額を使用料金から減額して売上登録処理する機能を有したものはあったが、従来は無料時間に相当する金額を使用料金と同様な計算方法で算出し、その金額を使用料金から減額していたので、無料時間を基本料金の基本単位時間以上に設定する必要があった。このため、無料時間に相当する金額を減額した後の金額は延長料金の単位分の金額にしかならなかったので、無料券を使用した客からは基本料金を徴収することができなかった。
【０００７】
そこで本発明は、一定時間の使用料金を無料にする無料券を用いて精算を行う客からも確実に基本料金を徴収できる上、無料時間を任意に設定できる電子式キャッシュレジスタを提供しようとするものである。
【０００８】
【課題を解決するための手段】
本発明は、使用開始時刻を登録する入時登録手段と、使用終了時刻を登録する出時登録手段とを設け、使用開始時刻から使用終了時刻までの経過時間を算出し、この経過時間と予め設定された基本単位時間当たりの基本料金及び延長単位時間当たりの延長料金とに基づいて使用料金を算出して売上登録処理する電子式キャッシュレジスタにおいて、使用料金が無料となる無料時間を登録する無料登録手段と、この無料登録手段により無料時間が登録されると使用開始時刻を該無料時間だけ遅らせるか、または使用終了時刻を該無料時間だけ早めてから使用料金の計算を行う演算制御手段とを備えたものである。
【０００９】
【発明の実施の形態】
以下、本発明の一実施の形態を図面を用いて説明する。
なお、この実施の形態では、本発明をカラオケルーム毎に顧客を識別管理し料金を精算するカラオケボックス店の会計装置として使用する電子式キャッシュレジスタに適用した場合について説明する。
【００１０】
図１はかかる電子式キャッシュレジスタの要部構成を示すブロック図であり、この電子式キャッシュレジスタは、制御部本体としてＣＰＵ（Central Processing Unit ）１を搭載している。また、上記ＣＰＵ１が実行するプログラムなどを予め格納したＲＯＭ（Read Only Memoly）２、データを書換え自在に記憶するＲＡＭ（Random Access Memoly）３、現在の日付および時刻を計時する時計部４の他、モードスイッチ５からの信号を入力するとともに、ドロワを自動開放させるドロワ開放装置６に駆動信号を出力するＩ／Ｏポート７、キーボード８を制御するキーボードコントローラ９、金額などを表示するための表示器１０を制御する表示器コントローラ１１、レシートなどを印字するためのプリンタ１２を制御するプリンタコントローラ１３などを搭載している。
そして、前記ＣＰＵ１と、ＲＯＭ２，ＲＡＭ３，時計部４，Ｉ／Ｏポート５および各種入出力機器のコントローラ９，１１，１３とは、アドレスバス，データバスなどのバスライン１４で相互に接続している。
【００１１】
前記モードスイッチ５は、「登録」，「点検」，「精算」などの各種業務モードを選択しその実行を前記ＣＰＵ１に指令するためのスイッチである。ここで「登録」とは、入時登録手段により登録される使用開始時刻から出時登録手段により登録される使用終了時刻までの経過時間を算出し、この経過時間と予め設定された基本単位時間当たりの基本料金及び延長単位時間当たりの延長料金とに基づいて使用料金を算出して記憶部に売上登録処理する業務のモードである。また「点検」とは、上記「登録」業務により記憶部に売上登録処理されたデータをレポート出力する業務のモードであり、「精算」とは、上記「点検」と同様に記憶部に売上登録処理されたデータをレポート出力した後、この記憶部をクリアする業務のモードである。
前記キーボード８は、図２に示すように、店で販売する各商品の商品コードをプリセットした複数（この例では３０個）の商品キー２１の他、置数キー２２，クリアキー２３，×キー２４，繰越キー２５，小計キー２６，現計キー２７、ルームＮｏキー２８、無料券キー２９などの各種ファンクションキーを配設したものである。因みに、置数キー２２は、カラオケルームＮｏ等の数値データの入力に用いる。クリアキー２３は、置数キー２２によって入力された数値データのクリアを指示するキーである。×キー２４は、数値データの入力終了を指示するキーである。繰越キー２５は、カラオケルーム別に識別管理される顧客の使用継続を宣言する一時締めキーである。小計キー２６は、顧客の小計額を出力するのに用いるキーである。現計キー２７は、カラオケルーム別に識別管理される顧客の使用終了を宣言する本締めキーである。ルームＮｏキー２８は、カラオケルームＮｏの入力を宣言するキーである。無料券キー２９は、使用料金が無料となる無料時間の登録を宣言するキーである。
このような構成の電子式キャッシュレジスタにおいて、前記ＲＡＭ３には、特に図３に示すように、カラオケルームＮｏ別に入時データと売上合計金額データとを記憶するルーム別登録メモリ３１と、各商品コード別に、商品名及び単価の商品情報を設定記憶するとともにその商品の売上点数及び金額の累計データを記憶する商品別登録メモリ３２と、基本単位時間，基本単位料金，延長単位時間，延長単位料金及び無料単位時間の料金計算に必要な各項目のデータを設定記憶する料金計算項目メモリ３３の他、キー入力されたカラオケルームＮｏを一時記憶するルームＮｏメモリ３４、入時データを一時記憶する入時メモリ３５、総計データを一時記憶する総計メモリ３６、ルームフラグＦ１，登録中フラグＦ２，無料券フラグＦ３などの各種フラグデータを記憶するフラグメモリ３７などを形成している。
なお、ルームフラグＦ１は、登録処理する顧客に対応したカラオケルームＮｏの入力によりセット（１）され、その登録処理の一時締めまたは本締めによりリセット（０）されるフラグである。登録中フラグＦ２は、顧客に販売する商品の登録処理によりセット（１）され、その登録処理の一時締めまたは本締めによりリセット（０）されるフラグである。無料券フラグＦ３は、使用料金が無料となる無料時間の登録処理によりセット（１）され、その登録処理の本締めによりリセット（０）されるフラグである。
【００１２】
しかして、この電子式キャッシュレジスタは、モードスイッチ５により設定モードが選択され、続いてキーボード８から料金計算項目設定業務のメインコードが入力されると、ＣＰＵ１が料金計算項目設定処理を開始する。そして、キー入力される値を判断し、基本単位時間であれば料金計算項目メモリ３３の基本単位時間エリアに設定し、基本単位料金であれば同メモリ３３の基本単位料金エリアに設定し、延長単位時間であれば同メモリ３３の延長単位時間エリアに設定し、延長単位料金であれば同メモリ３３の延長単位料金エリアに設定し、無料単位時間であれば同メモリ３３の無料単位時間エリアに設定するものとなっている。
【００１３】
また、この電子式キャッシュレジスタは、モードスイッチ５により登録モードが選択されると、ＣＰＵ１が図４の流れ図に示す登録業務処理を開始する。すなわち、ＣＰＵ１は、ＳＴ（ステップ）１としてキーボード８のキー入力を待機する。そしていずれかのキー入力を検知すると、ＳＴ２としてフラグメモリ３７のルームフラグＦ１がセットされているか否かを判断する。
ＳＴ２にてルームフラグＦ１がセットされていないと判断した場合には、ＳＴ３として入力キーがルームＮｏキー２８か否かを判断する。ここで、ルームＮｏキー２８以外のキーが入力された場合にはキー入力エラーとする。
【００１４】
ＳＴ３にてルームＮｏキー２８の入力を確認した場合には、ＳＴ４としてルームＮｏが入力されるのを待機する。そして置数キー２２と×キー２４によりカラオケルームＮｏに相当する置数データが入力された場合には、ＳＴ５としてルームＮｏメモリ３４，入時メモリ３５及び総計メモリ３６をクリアした後、ＳＴ６としてルームＮｏメモリ３４に置数データを格納する。
【００１５】
次に、ＳＴ７としてルームＮｏメモリ３４に格納した置数データ、いわゆる入力ルームＮｏでルーム別登録メモリ３１を検索する。そして、ＳＴ８としてルーム別登録メモリ３１に該入力ルームＮｏに対応して入時データがセットされているか否かを判断する。
ここでセットされていない場合には、入力ルームＮｏのカラオケルームに入室した新規顧客の登録なので、ＳＴ９として時計部４から現時刻を読出し、この時刻データを入時データとしてルーム別登録メモリ３１に入力ルームＮｏに対応づけてセットする。これに対し、セットされていない場合には、入力ルームＮｏのカラオケルームにすでに入室している顧客の追加登録または締め登録なので、ＳＴ１０としてルーム別登録メモリ３１から入力ルームＮｏに対応した売上合計金額データを読出し、表示器１０に表示させる。
【００１６】
その後、ＳＴ１１としてルーム別登録メモリ３１から入力ルームＮｏに対応した入時データを読出し、プリンタ１２により入力ルームＮｏとともにレシート用紙に印字出力する。そして印字出力後、ＳＴ１２としてフラグメモリ３７にルームフラグＦ１をセットしたならば、今回の処理を終了する。
【００１７】
一方、ＳＴ２にてフラグメモリ３７にルームフラグＦ１がすでにセットされていた場合には、入力キーに応じたキー処理をそれぞれ実行する。
例えば入力キーが商品キー２１であった場合には、図５に具体的に示す商品登録処理を実行する。先ず、入力された商品キー２１にプリセットされている商品コードで商品別登録メモリ３２を検索し、該商品コードに対応する商品名，単価の商品情報を読出す。次に、商品キー２１の入力直前に置数キー２２と×キー２４とで数値データいわゆる販売点数が入力されているか判断し、入力されていない場合には今回登録商品の販売点数を「１」とする。
【００１８】
しかる後、商品情報中の単価に今回登録商品の販売点数を乗算して今回登録商品の販売金額を算出したならば、商品別登録メモリ３２の該商品コードに対応する売上点数累計データ及び売上金額累計データに今回登録商品の販売点数及び販売金額をそれぞれ加算する。また、ルーム別登録メモリ３２のルームＮｏメモリ３４に格納されたカラオケルームＮｏに対応する売上合計金額データに今回登録商品の販売金額を加算する。
【００１９】
その後、今回登録商品の明細データとして商品名，単価，販売点数，販売金額などを表示器１０に表示させるとともに上記明細データをプリンタ１２によりレシート用紙に印字出力する。そして印字出力後、フラグメモリ３７に登録中フラグＦ１がセットされていなければセットして、今回の処理を終了する。
【００２０】
また、入力キーが繰越キー２５であった場合には、図６に具体的に示す登録繰越処理を実行する。先ず、フラグメモリ３７に登録中フラグＦ２がセットされているか否かを判断し、セットされていない場合には繰越キー２５のキー入力をエラーとする。
登録中フラグＦ２がセットされていた場合には、ルーム別登録メモリ３１からルームＮｏメモリ３４に格納されているルームＮｏに対応した売上合計金額データを読出し、表示器１０に表示させるとともに、プリンタ１２によりレシート用紙に印字出力する。そして印字出力後、レシート用紙を繰越レシート４１（図９（ａ）を参照）として発行する。しかる後、フラグメモリ３７にセットされているルームフラグＦ１及び登録中フラグＦ２をリセットして、今回の処理を終了する。
【００２１】
また、入力キーが無料券キー２９であった場合には、図７に具体的に示す無料券登録処理を実行する。先ず、フラグメモリ３７に無料券フラグＦ３がセットされているか否かを判断し、セットされている場合には無料券キー２９のキー入力をエラーとする。
無料券フラグＦ３がセットされていない場合には、この無料券キー２９の入力直前に置数キー２２と×キー２４とで数値データいわゆる倍数が入力されているか判断する。そして、倍数が入力されている場合には、料金計算項目メモリ３３に設定されている無料単位時間データを読出し、この無料単位時間データに倍数を乗算して無料時間を算出する。これに対し、倍数が入力されていない場合には、料金計算項目メモリ３３に設定されている無料単位時間データを読出し、この無料単位時間データを無料時間とする。
【００２２】
しかる後、ルーム別登録メモリ３１からルームＮｏメモリ３４に格納されているルームＮｏに対応した入時データを読出し、入時メモリ３５に格納したならば、この入時メモリ３５に格納した入時データに上記無料時間を加算して、入時データを無料時間だけ遅らせる。また、プリンタ１２により上記無料時間をレシート用紙に印字出力する。そして印字出力後、フラグメモリ３７に無料券フラグＦ３をセットしたならば、今回の処理を終了する。
【００２３】
また、入力キーが現計キー２７であった場合には、図８に具体的に示す登録締め処理を実行する。先ず、フラグメモリ３７に無料券フラグＦ３がセットされているか否かを判断する。そして、セットされていない場合には無料券を用いない顧客の精算なので、ルーム別登録メモリ３１からルームＮｏメモリ３４に格納されているルームＮｏに対応した入時データを読出し、入時メモリ３５に格納する。無料券フラグＦ３がセットされている場合には、無料券を用いた顧客の精算であり前記無料券登録処理においてすでに入時メモリに該当する入時データがセットされているので上記処理は行わない。
【００２４】
次に、時計部４から現時刻を読出し、この現時刻を出時データとしてＲＡＭ３のワークエリアに記憶するとともに、この出時データから入時メモリ３５内の入時データを引いて使用時間を算出する。そして、この使用時間データを同ワークエリアに記憶する。
次に、料金計算項目メモリ３３に設定されている基本単位時間データを読出し、使用時間データから基本単位時間データを引いて延長時間を算出する。そして、この延長時間データを同ワークエリアに記憶した後、この延長時間データが「０」より大きいか否か、つまりは延長時間があるか否かを判断する。そして延長時間がない場合には、延長料金データを０円として同ワークメモリに記憶する。これに対して延長時間がある場合には、料金計算項目メモリ３３に設定されている延長単位時間及び延長単位料金の各データを読出す。そして、延長時間データを延長単位時間データで除算し、その商の小数点以下を切り上げた整数を延長回数として算出したならば、延長単位料金に上記延長回数を乗算して延長料金を算出し、この延長料金データを同ワークメモリに記憶する。
【００２５】
次に、料金計算項目メモリ３３に設定されている基本単位料金データを読出し、この基本単位料金データに上記延長料金データを加算して使用料金を算出する。そして、この使用料金データを総計メモリ３６に格納する。また、ルーム別登録メモリ３１からルームＮｏメモリ３４に格納されているルームＮｏに対応した売上合計金額データを読出し、この売上合計金額データをプリンタ１２によりレシート用紙に印字出力するとともに、総計メモリ３６の使用料金データに加算して総計データを算出する。
【００２６】
しかる後、ワークエリアに格納した出時データ，使用時間データ及び使用料金データと、総計メモリ３６の総計データとを、プリンタ１２によりレシート用紙に印字出力する。そして印字出力後、レシート用紙を精算レシート４２（図９（ｂ）を参照）として発行する。しかる後、ルーム別登録メモリ３１のルームＮｏメモリ３４に格納されたルームＮｏに対応する入時データ及び売上合計金額データをクリアする。また、フラグメモリ３７にセットされているルームフラグＦ１，登録中フラグＦ２及び無料券フラグＦ３をリセットし、ワークエリアをクリアしたならば、今回の処理を終了する。
【００２７】
このように構成された本実施の形態の電子式キャッシュレジスタを会計装置として用いるカラオケボックス店においては、予め、料金計算項目メモリ３３に基本単位時間，基本単位料金，延長単位時間，延長単位料金及び無料単位時間の料金計算に必要な各項目のデータを設定する。例えば、入時より１時間以内は２０００円であり、それ以後は３０分延長する毎に５００円である店で、なおかつ３０分単位の時間を無料時間とする無料券を顧客に配布する運用の店の場合は、図３に示すように、基本単位時間として６０分を、基本単位料金として２０００円を、延長単位時間として３０分を、延長単位料金として５００円を、無料単位時間として３０分をそれぞれ設定する。
【００２８】
この状態で、顧客が空いているカラオケルームに入室し、飲食品などの商品の注文を受けると、電子式キャッシュレジスタのオペレータは、登録モードにおいて、先ず、ルームＮｏキー２８を入力する。次いで、置数キー２２により当該顧客が入室したカラオケルームのルームＮｏを置数し、×キー２４を入力する。そうすると、この置数入力されたルームＮｏに対応して現時刻が入時データとしてルーム別登録メモリ３１にセットされる。また、このルームＮｏと入時データとがレシート用紙に印字される。
【００２９】
次に、オペレータは顧客から注文を受けた商品の商品コードがプリセットされている商品キー２１を１品ずつ入力して商品登録を行う。このとき、同一商品を複数登録する場合には、商品キー２１の入力直前に置数キー２２で販売点数を置数し、×キー２４を入力する。そうすると、当該ルームＮｏに対応して登録商品の販売金額合計が売上合計金額としてルーム別登録メモリ３１にセットされる。また、登録商品の明細データがレシート用紙に印字される。
【００３０】
次に、オペレータは繰越キー２５を入力する。そうすると、繰越レシート４１が発行される。
図９（ａ）は繰越レシート４１の一発行例を示しており、具体的には、１９９８年１月１日の１２時３５分にルームＮｏ０００１のカラオケルームに入室し、単価５００円の商品Ａを５点注文した顧客に対して発行される繰越レシート４１の一例である。
【００３１】
また、カラオケルームを使用した顧客が精算を申し出た場合には、無料券を使用する場合と使用しない場合とでオペレータの操作が異なる。先ず、無料券を使用しない場合には、オペレータはルームＮｏキー２８を入力し、次いで置数キー２２により当該顧客が入室したカラオケルームのルームＮｏを置数し、×キー２４を入力した後、現計キー２７を入力する。そうすると、ルーム別登録メモリ３１に当該ルームＮｏに対応してセットされている入時データの入時刻から現時刻までの経過時間が使用時間として算出される。そして、使用時間が基本単位時間を経過していない場合には、使用料金として基本単位料金がそのまま適用される。これに対し、使用時間が基本単位時間を超える場合には使用時間から基本単位時間を引いた時間が延長時間として算出され、この延長時間と延長単位時間とから延長回数が算出される。そして、延長単位料金の該延長回数を乗算した金額が延長料金として算出され、この延長料金に基本単位料金を加算した金額が使用料金として算出される。
こうして、使用時間に対応した使用料金が算出されると、その使用料金に商品の売上合計金額が加算されて総額が算出される。そして、この総額に対する精算レシートが印字発行される。
【００３２】
一方、顧客が無料券を使用する場合には、その無料券の無料時間をチェックし、無料単位時間に等しければ単に無料券キー２９を入力する。また、無料時間が無料単位時間の整数倍であれば、その整数値を置数キー２２で置数し、×キー２４を入力した後、無料券キー２９を入力する。そうすると、ルーム別登録メモリ３１に当該ルームＮｏに対応してセットされている入時データが読出され、この入時データに無料時間が加算される。すなわち、当該顧客の入時刻が無料時間だけ遅くなる。
しかる後、オペレータは現計キー２７を入力する。そうすると、無料時間だけ遅くなった入時刻から現時刻までの使用時間に対して前述した無料券を使用する場合と使用しない場合と同様の手順で使用料金が求められ、総額が算出されて、精算レシート４２が印字発行される。
【００３３】
図９（ｂ）は無料券を使用した顧客に対する精算レシート４２の一発行例を示しており、具体的には、１９９８年１月１日の１２時３５分にルームＮｏ０００１のカラオケルームに入室し、その１時間２５分後の同日１４時００分に退室した顧客で、商品の売上合計金額が２５００円であり、かつ無料時間が３０分の無料券を使用した場合に発行される精算レシート４２の一例である。すなわち、入時刻を実際の時刻１２時３５分より無料時間３０分だけ遅くして（１３時０５分）から使用時間を計算し使用料金を求めるので、使用時間は５５分であり、使用料金は基本単位料金の２０００円である。
【００３４】
このように本実施の形態によれば、カラオケルームの使用終了に伴う使用料金の精算時に使用料金が無料となる無料時間が登録されると、カラオケルームの使用開始時にルームＮｏ別に登録された入時刻を無料時間だけ遅らせてから使用料金を計算するようにしたので、無料時間を基本単位時間に合せる必要がなくなる。また、無料時間の長短に拘らず使用料金が発生した顧客からは必ず基本料金を徴収できるようになる。
【００３５】
なお、前記一実施の形態では、予め無料単位時間を設定し、この無料単位時間の整数倍を無料時間として登録したが、無料券登録の際に無料時間を置数入力するようにしてもよい。孔することにより、無料時間をより細かく設定できるようになる。
【００３６】
また、前記一実施の形態では、無料時間が登録されると使用開始時刻である入時刻を無料時間だけ遅らせてから使用料金を計算したが、使用終了時刻である出時刻を無料時間だけ早めてから使用料金を計算するようにしてもよい。
図１０はこの変形例における無料券登録処理を示しており、図１１は登録締め処理を示している。すなわちこの変形例では、無料券登録処理において、無料時間が登録されると、時計部４から現時刻を読出し、この現時刻をＲＡＭ３に形成した出時メモリに格納した後、上記無料時間だけ出時メモリの時刻データを早めるべく減算処理を行う。また、登録締め処理においては、無料券フラグＦ３がセットされていない場合に時計部４から読取った現時刻を出時メモリに格納する。次いで、ルーム別登録メモリ３１からルームＮｏメモリ３４に格納されているルームＮｏに対応した入時データを読出し、入時メモリ３５に格納した後、出時メモリ内の出時データから入時メモリ３５内の入時データを引いて使用時間を算出する。その後は前記一実施の形態と同様にして使用料金を算出し、精算レシートを発行する。このような構成を採用しても、前記一実施の形態と同様な効果を奏し得る。また、例えば何時までに来店していただければ幾らかの値引きをするというような入時時刻による値引きサービスを実施する店でも本装置を導入できるようになる。
【００３７】
この他、本発明をＰＯＳ（Point Of Sales）ターミナルに適用したり、使用料金の計算手順や無料時間の登録方法を変更するなど、本発明の要旨を逸脱しない範囲で種々変形実施可能であるのは勿論である。
【００３８】
【発明の効果】
以上詳述したように本発明の電子式キャッシュレジスタであれば、一定時間の使用料金を無料にする無料券を用いて精算を行う客からも確実に基本料金を徴収できる上、無料時間として任意の時間を設定できるようになり、運用面の拡張を図り得る。
【図面の簡単な説明】
【図１】  本発明の一実施の形態である電子式キャッシュレジスタの要部構成を示すブロック図。
【図２】  同電子式キャッシュレジスタのキーボードを示す図。
【図３】  同電子式キャッシュレジスタのＲＡＭに形成した主要なメモリエリアを示す図。
【図４】  同電子式キャッシュレジスタのＣＰＵが実行する登録業務処理のメイン処理を示す流れ図。
【図５】  同登録業務処理中の商品登録処理を具体的に示す流れ図。
【図６】  同登録業務処理中の登録繰越処理を具体的に示す流れ図。
【図７】  同登録業務処理中の無料券登録処理を具体的に示す流れ図。
【図８】  同登録業務処理中の登録締め処理を具体的に示す流れ図。
【図９】  本発明の一実施の形態において発行されるレシートの一例を示す図。
【図１０】本発明の他の実施の形態における無料券登録処理を具体的に示す流れ図。
【図１１】同他の実施の形態における登録締め処理を具体的に示す流れ図。
【符号の説明】
１…ＣＰＵ
２…ＲＯＭ
３…ＲＡＭ
４…時計部
２９…無料券キー
３１…ルーム別登録メモリ
３３…料金計算項目メモリ
４１…繰越レシート
４２…精算レシート
【図１】
0003966975.tif 000002
【図２】
0003966975.tif 000003
【図３】
0003966975.tif 000004
【図４】
0003966975.tif 000005
【図５】
0003966975.tif 000006
【図６】
0003966975.tif 000007
【図７】
0003966975.tif 000008
【図８】
0003966975.tif 000009
【図９】
0003966975.tif 000010
【図１０】
0003966975.tif 000011
【図１１】
0003966975.tif 000012